(57)【要約】      （修正有）【課題】燃焼材等を必要とせず、また、消費電力を抑制しつつ、十分な明るさを確保することができる照明器具、及び当該照明器具を備えるテントを提供することを目的とする。【解決手段】電力を発生するソーラーパネルと、ソーラーパネルで発生された電力に基づいて光を発生させる発光装置１０とを備え、発光装置１０は、発光した光を導光する導光板１３を有し、導光板１３は、側面から前記光を入射し、当該入射した光を一方の主面によって構成される出射面Ｓから出射する。【選択図】図３
2007115585.tif 000002
【特許請求の範囲】
【請求項１】
電力を発生する電力発生部と、
前記電力発生部で発生された電力に基づいて光を発生させる発光装置とを備え、
前記発光装置は、発光した光を導光する導光板を有し、
前記導光板は、側面から前記光を入射し、当該入射した光を一方の主面によって構成される出射面から出射すること
を特徴とする照射器具。
【請求項２】
請求項１記載の照射器具は、前記電力発生部で発生した電力を逐電する逐電部を備え、
前記発光装置は、前記逐電部に逐電された電力に基づいて発光する、
照射器具。
【請求項３】
前記発光装置は、前記導光板の側面に配設された前記光を発するＬＥＤ素子を備える、
請求項１又は請求項２の何れかの項記載の照射器具。
【請求項４】
前記ＬＥＤ素子を前記導光板の側面に保持する筐体を備える、
請求項３記載の照射器具。
【請求項５】
前記筐体は、内部を中空とされ、且つ、上面が開口したものであって、
前記開口を覆う様に形成された照射領域を備え、
前記発光装置は、前記導光板の出射面から出射した光を前記照射領域に導光する様に配置されている、
請求項４記載の照射器具。
【請求項６】
前記電力発生部は、太陽電池パネルであって、
前記太陽電池パネルは、前記筐体における下面に形成されている、
請求項５記載の照射器具。
【請求項７】
前記導光板は、出射面に複数の凹凸部を備える、
請求項１乃至請求項６の何れかの項記載の照射器具。
【請求項８】
前記導光板の出射面に形成された凹凸部は、熱加工、超音波加工、又は高周波加工によって形成された、
請求項７記載の照射器具。
【請求項９】
前記電力発生部は、物理電池である、
請求項１乃至請求項８の何れかの項記載の照射器具。
【請求項１０】
前記電力発生部は、ダイナモである、
請求項９記載の照射器具。
【請求項１１】
前記電力発生部は、風力発電機構である、
請求項９記載の照射器具。
【請求項１２】
所定の空間を形成する幕と、
前記幕を所定の形状に保持する支柱と、
請求項１記載の照射器具とを備え、
前記照射器具は、さらに、前記照射器具を前記テントの外側表面に保持する保持手段を備えること
を特徴とするテント。
【発明の詳細な説明】
【技術分野】
【０００１】
本発明は、照射器具及び照明器具を備えたテントに関する。
【背景技術】
【０００２】
従来、例えば山中等でテントを使用し、内部で照明器具を用いる場合、カンテラや懐中電灯を使用していた。この様なテント及びテントで用いられる照射器具としては特許文献１に記載されたものがある。
【０００３】
【特許文献１】特開２００２−２４２４８７公報
【発明の開示】
【発明が解決しようとする課題】
【０００４】
ところで、テントにおいてカンテラを用いる場合、カンテラで使用する燃焼材を携帯しなければならなかった。また、燃焼材が無くなってしまった場合は他の照明手段を利用しなければならないという問題があった。
【０００５】
また、懐中電灯を使用する場合、ダイナモ等を備える所謂災害用の懐中電灯を使用することも考えられるが、懐中電灯において用いる電球は大量の電力を必要とする為、効率的ではない。ここで、消費電力の少ないＬＥＤ（Light Emitting Diode）素子を用いることも考えられるが、通常のＬＥＤ素子では十分な明かりを確保することができないという問題があった。
【０００６】
そこで、本発明はこの様な実情に鑑みてなされたものであり、燃焼材等を必要とせず、また、消費電力を抑制しつつ、十分な明るさを確保することができる照明器具、及び当該照明器具を備えるテントを提供することを目的とする。
【課題を解決するための手段】
【０００７】
そこで、上述の課題を解決する為に、本発明に係る照射器具は、電力を発生する電力発生部と、前記電力発生部で発生された電力に基づいて光を発生させる発光装置とを備え、前記発光装置は、発光した光を導光する導光板を有し、前記導光板は、側面から前記光を入射し、当該入射した光を一方の主面によって構成される出射面から出射することを特徴とする。
【０００８】
この構成によれば、電力発生部において発生した電力に基づいて発光した光は、導光板の側面から入射される。さらに導光板に入射された光は、出射面から出射することとなる。この場合、導光板を通じて光を照射する為、電力発生部において発生される電力は少量で良い。
【０００９】
また本発明に係るテントは、所定の空間を形成する幕と、前記幕を所定の形状に保持する支柱と、上記照射器具とを備え、前記照射器具は、さらに、前記照射器具を前記テントの外側表面に保持する保持手段を備えることを特徴としている。
【発明の効果】
【００１０】
以上、本発明に係る照射器具及びテントによれば、燃焼材等を必要とせず、また、消費電力を抑制しつつ、十分な明るさを確保することができる。
【発明を実施するための最良の形態】
【００１１】
以下、本発明に係る照射器具及びテントの実施の形態について詳細な説明をする。
【００１２】
テントは、例えば山中において人間が一時的に居住するものであり、所定の空間を形成する幕１と、幕１を所定の形状に保持する支柱２と、照射器具３とによって構成されている。幕１は、人間が一時的に居住する空間を確保する仕切りであり、例えば防水加工が施されたシート状の部材である。また、支柱２は、幕１を所定の形状に保持する為の部材であり、例えばステンレス材等を円筒状に形成し、これらを所定の形状に組み合わせることで形成される。
【００１３】
照射器具３は、例えば昼間は、テントの屋根部分に固定して充電し、夜間にテント内部を照射する。この様な照射器具３は、図２ａ，２ｂ及び図３に示す様に、内部に発光装置１０を備える筐体５と、筐体５の表面に形成された照射領域６と、筐体５の表面に形成されたソーラーパネル７と、発光装置１０のオン・オフを制御するスイッチ部材８とによって構成されている。また、照射器具３は、図示せぬ逐電部を備える。
【００１４】
筐体５は、発光装置１０を一体的に保持する部材であり、蓋部材５ａと本体部材５ｂとによって構成されており、蓋部材５ａは、中心部を空洞とした板状の部材である。本体部材５ｂは、内部を中空とし、上面が開口した箱状の部材によって形成されており、内部に発光装置１０を備える。また本体部材５ｂの下面にはソーラーパネル７、及び固定部材５が固定されている。照射器具３を使用する場合は、本体部材５ｂの中空部に発光装置１０を配設し、蓋部材５ａを上面に配設することで用いる。また筐体５は、この様な本体部材５ｂに、蓋部材５ａを被せることで形成される。筐体５内部に発光装置１０を配設する際、発光装置１０を本体部材５ｂ内部に配設し、蓋部材５ａで本体部材５ｂの開口を覆う様に被せる。この様に蓋部材５ａと本体部材５ｂを合せることで、発光装置１０から発光された光は、照射領域６を透過して、照射領域６から照射されることとなる。
【００１５】
また、筐体５の上面には、発光装置１０において発光した光を照射する為の照射領域６が形成されている。ユーザが照射器具３を用いてテント内部を照射する場合、まず、昼間は照射器具３を幕１に、ソーラーパネル７が太陽光に当たる様に固定する。このときソーラーパネル７において発生した電力は、ソーラーパネル７と電気的に接続された図示せぬ逐電部に供給される。図示せぬ逐電部は、ソーラーパネル７において発生した電力を逐電する為の部材である。ここで、ソーラーパネル７において発生した電力が、逐電部及び発光装置１０の両方に供給される様な構成とすることも可能である。例えば発光装置１０を発光させる際に、ソーラーパネル７において電力を発生させることが可能な場合は、ソーラーパネル７において発生した電力を直接発光装置１０に供給する様にする。これと同時に発光装置１０が発光する為に必要とならない余剰電力を、逐電部に供給する様にする。この様に、発光装置１０が発光すると同時に逐電部に電力を逐電させることにより、ソーラーパネル７において電力を発生させることが出来ない場合は、逐電部において逐電された電力を用いて発光装置１０を発光させることが可能となる。ここで逐電部としては、例えば二次電池又は電解二重層コンデンサーを用いることができる。さらに逐電部としては、ソーラーパネル７において発生した電力を一時的に逐電し、必要に応じて放電することができるものであればどの様なものであっても良い。
【００１６】
そして、夜間は照射器具３を幕１から取り外し、テント内部に持ち込んで、逐電部に逐電された電力を、発光装置１０に対して放電する。逐電部から電力を供給された発光装置１０は、後述する方法で発光し、テント内部を照射する。ソーラーパネル７を幕１に固定する方法としては、例えば幕１及び筐体５にそれぞれに所謂マジックテープ（登録商標）材を設ける方法がある。また、ボルト等を用いる固定する方法や、フック等を用いて固定する方法があるが、照射器具１を幕１に固定することが可能な方法であればどの様な方法であっても良い。
【００１７】
発光装置１０は、図示せぬ逐電部と電気的に接続されており、逐電部に逐電された電力によって照射領域６から光を照射する。この様な発光装置１０は、所定の基板上に複数個の発光素子を配列した発光素子アレイ１１ａ，１１ｂと、光を反射する反射板１２と、導光板１３と、拡散板１４とによって構成されている。発光素子アレイ１１ａ，１１ｂは、例えばＬＥＤ（Light Emitting Diode）素子を複数個配列してなる部材であり、それぞれ導光板１３の異なる側面に配設されている。ユーザが照射器具３を使用する際は、スイッチ部材８を用いて当該選択した発光素子アレイ１１ａ，１１ｂのオン・オフを制御する。
【００１８】
また、反射板１２は、所定の光学的な反射率を有する部材であり、例えば板状に形成された白色の部材である。反射板１２は、導光板１３の照射面Ｓとは異なる主面から漏れた光を反射する為の部材である。また、反射板１２の上面には導光板１３が配設されており、発光素子アレイ１１ａ，１１ｂから導光板１３に入射された光は、反射板１２で反射して導光板１３の照射面Ｓから照射される。
【００１９】
ここで、導光板１３は、自身の側面から入射された光及び反射板１２から反射した光を主面によって構成される照射面Ｓから照射する部材であり、図４（ａ）及び図４（ｂ）に示す様に、照射面Ｓに四角錐状の凹部１３ａが複数個形成された板状の部材である。この様な凹部１３ａは、例えば超音波加工、高周波加工、又は熱加工によって形成されたものであり、この様な凹部１３ａを導光板１３に形成し、当該導光板の側面からＬＥＤ素子によって光を入射することにより、導光板１３の光取り出し効率を向上させることが可能となる。なお、凹部１３ａの形状は円錐や三角錐、六角錐などの他の角錐状でも良く、また、照射面Ｓに一様に凸部を設けるものであっても良い。
【００２０】
拡散板１４は、導光板１３から照射された光を一様に拡散させる部材であり、光学的に透明な材料を板状に形成し、少なくとも一方の主面に所定の凹凸が形成されている。この様な拡散板１４は、導光板１３の照射面Ｓに接触する様に配設される。
【００２１】
発光装置１０は、上述の構成を備える反射板１２、導光板１３、及び拡散板１４を図４（ｃ）に示す様に順次積層し、さらにこれら部材を積層してなる板状の部材の側面に発光素子アレイ１１ａ及び発光素子アレイ１１ｂから照射された光を選択的に入射することで導光板１３の照射面Ｓを発光させる。さらに導光板１３の照射面Ｓから照射された光は、拡散板１４において拡散され、照射領域６から照射される。
【００２２】
蓋部材４は、筐体５と略同一の大きさを有する長方形に形成された板状の部材である。蓋部材４の一方の長辺は、筐体５の一方の長辺に回動支持されており、蓋部材４の一方の主面を照射領域６に接触する様に回動することで照射領域６を保護することが可能となる。また、蓋部材４の他方の主面にはソーラーパネル７が配設されており、ソーラーパネル７において得られた電力は、逐電部を通じて発光素子アレイ１１ａ，１１ｂに供給される。照射器具３は、ソーラーパネル７において発生した電力を用いて発光する為、照射器具３は、電池等の電力源を必要とせず、電源が無い屋外においても容易に照射器具３を駆動させることができる。
【００２３】
以下、上述の構成を備える照射器具３を使用する方法について詳細な説明を行う。
【００２４】
ユーザがテント内部を照射する際、まずユーザは、スイッチ部材８を用いて発光素子アレイ１１ａ，１１ｂをオン状態とする。発光素子アレイ１１ａ，１１ｂがオン状態となることにより、発光素子アレイ１１ａ，１１ｂから発光した光は、導光板１３の側面から導光板１３内部に入射する。ここで導光板１３内部に入射された光の一部は、直接照射面Ｓから拡散板１４方向に照射され、残りの一部は反射板１２方向に照射され、反射板１２によって反射され、照射面Ｓから拡散板１４に照射されることとなる。拡散板１４に照射された光は、拡散板１４を通過する際に一様に拡散され、照射領域６に入射されることとなる。照射領域６に入射された光は、そのまま照射領域６を通過し、テント内部を照射する。
【００２５】
尚、本発明は上述の実施の形態に限定されるものではなく、本発明の趣旨を逸脱しない範囲で適宜変更可能である。例えば筐体５にＳＯＳ信号を発信する発信機を設けても良い。この発信機も、発光装置と同様にソーラーパネル７から電力を供給することで、例えば山中で遭難した場合でも常にＳＯＳ信号を発することが可能となる。
【００２６】
上述の実施例においては、電力発生部としてソーラーパネル７を用いて詳細な説明を行ったが、電力を発生させるものであればどの様なものであってもよく、太陽電池等の物理電池の又は燃料電池、鉛蓄電池、ニッケルカドミウム電池、ニッケル水素電池、若しくはリチウムイオン電池等の化学電池を用いるものであっても良い。
【図面の簡単な説明】
【００２７】
【図１】本発明の実施の形態に係るテントを示す斜視図であり、テントの構成について説明する為の図である。
【図２（ａ）】同テントを構成する照射器具の斜視図であり、照射器具の構成について説明する為の図である。
【図２（ｂ）】同照射器具の斜視図であり、照射器具の裏面を示す図である。発光装置を構成する導光板を示す要部斜視図であり、導光板の構成について説明する為の図である。
【図３】同照射器具の分解斜視図であり、主に発光装置の構成について説明する為の図である。
【図４（ａ）】同導光板の要部斜視図である。
【図４（ｂ）】同導光板の要部断面図である。
【図４（ｃ）】同導光板を含む発光装置の要部断面図であり、同発光装置の構成について説明する為の図である。
【符号の説明】
【００２８】
１    幕
２    支柱
３    照射器具
５    筐体
５ａ    蓋部材
５ｂ    本体部材
６    照射領域
７    ソーラーパネル
８    スイッチ部材
１０    発光装置
１１ａ，１１ｂ    発光素子アレイ
１２    反射板
１３ａ    凹部
１３    導光板
１４    拡散板
【図１】
2007115585.tif 000003
【図２（ａ）】
2007115585.tif 000004
【図２（ｂ）】
2007115585.tif 000005
【図３】
2007115585.tif 000006
【図４（ａ）】
2007115585.tif 000007
【図４（ｂ）】
2007115585.tif 000008
【図４（ｃ）】
2007115585.tif 000009